(57)【要約】［課題］アンテナから外部に出る磁束総量を減らして、渦電流損失による受信感度の低下を防ぐことができるとともに、アンテナの受信性能を向上させることが可能なアンテナ、および、アンテナを備えた電波受信機器を提供する。［解決手段］本発明のアンテナは、柱状の磁性コアと、該磁性コアの周囲に導線が巻回される巻線部からなるアンテナ本体と、アンテナ本体を収容するアンテナ本体収容部が形成されたアンテナカバー体とを備えるアンテナであって、アンテナ本体をアンテナカバー体に収容した状態で、アンテナ本体の少なくとも一面が、アンテナカバー体で覆われるとともに、アンテナ本体の端部と、アンテナカバー体のアンテナ本体収容部とが、接するか、または、磁気的に結合している。このようなアンテナを、特に、小型軽量化が要求される腕時計型の電波修正時計に搭載する。そうすることによって、充分な標準電波の受信レベルを確保し得る電波修正時計を提供することができる。
2007111217.tif 000002
【特許請求の範囲】
【請求項１】
柱状の磁性コアと、該磁性コアの周囲に導線が巻回される巻線部からなるアンテナ本体と、
前記アンテナ本体を収容するアンテナ本体収容部が形成されたアンテナカバー体と、
を備えるアンテナであって、
前記アンテナ本体を前記アンテナカバー体に収容した状態で、前記アンテナ本体の少なくとも一面が、前記アンテナカバー体で覆われるとともに、
前記アンテナ本体の端部と、前記アンテナカバー体のアンテナ本体収容部とが、接するか、または、磁気的に結合していることを特徴とするアンテナ。
【請求項２】
前記アンテナ本体の端部に、前記磁性コアを延設したコア延設部を備えることを特徴とする請求項１に記載のアンテナ。
【請求項３】
前記アンテナカバー体が、前記アンテナ本体収容部から延設した延設部を備えることを特徴とする請求項１または２のいずれか１つに記載のアンテナ。
【請求項４】
前記アンテナ本体収容部が、前記アンテナカバー体に形成した凹部または開口により構成されていることを特徴とする請求項１から３のいずれか１つに記載のアンテナ。
【請求項５】
前記アンテナカバー体が、少なくとも上下一対のアンテナカバー分割体から構成され、
前記アンテナカバー分割体には、前記アンテナ本体収容部を形成する切欠部が形成され、
前記アンテナカバー分割体を組み付けることによって、前記切欠部により形成された前記アンテナ本体収容部内に、前記アンテナ本体を収容するように構成したこと特徴とする請求項１から４のいずれか１つに記載のアンテナ。
【請求項６】
前記アンテナカバー分割体を組み付けることによって、前記コア延設部を挟持するように構成されていることを特徴とする請求項５に記載のアンテナ。
【請求項７】
前記アンテナカバー分割体のうち、最上側または最下側の前記アンテナカバー分割体の少なくとも一方には、前記切欠部が形成されていないこと特徴とする請求項５または６のいずれか１つに記載のアンテナ。
【請求項８】
前記アンテナカバー体が、
平板形状のアンテナ本体巻き付け部と、
前記アンテナ本体巻き付け部の端部から、前記磁性コアから離間する方向に延設された平板形状の延設部と、
から構成される平板アンテナカバー体から構成され、
前記アンテナ本体巻き付け部を、前記アンテナ本体の端部の周囲に巻き付けることによって、前記アンテナ本体収容部が形成され、前記アンテナ本体を収容するように構成されていることを特徴とする請求項１または２のいずれか１つに記載のアンテナ。
【請求項９】
前記アンテナ本体巻き付け部を、前記アンテナ本体の端部の周囲に巻き付けた状態で、
前記延設部の少なくとも一部が、前記アンテナ本体の端部と接するか、または、磁気的に結合していることを特徴とする請求項８に記載のアンテナ。
【請求項１０】
前記延設部が、前記アンテナ本体巻き付け部の両端からそれぞれ延設されているとともに、前記延設部同士が相互に平面的に重ならないように設けられていることを特徴とする請求項８または９のいずれか１つに記載のアンテナ。
【請求項１１】
前記延設部が、前記アンテナ本体巻き付け部の両端からそれぞれ少なくとも２つずつ延設されているとともに、異なる端部から延設された前記延設部同士が相互に平面的に重ならないように設けられていることを特徴とする請求項１０に記載のアンテナ。
【請求項１２】
前記アンテナ本体巻き付け部の両端から少なくとも２つずつ延設されている前記延設部が、該延設部の厚さ方向に離間して設けられていることを特徴とする請求項１１に記載のアンテナ。
【請求項１３】
前記アンテナ本体巻き付け部をアンテナ本体の端部の周囲に巻き付けた状態で、前記アンテナ本体巻き付け部が、前記アンテナ本体の端部面を覆う端部被覆部を備えることを特徴とする請求項８から１２のいずれか１つに記載のアンテナ。
【請求項１４】
前記端部被覆部が、前記アンテナ本体の両端部面を覆うように形成されていることを特徴とする請求項１３に記載のアンテナ。
【請求項１５】
前記アンテナ本体巻き付け部が、前記アンテナ本体の端部の周囲に巻き付けた状態で、前記アンテナ本体の端部の少なくとも一部と離間していることを特徴とする請求項８から１４のいずれか１つに記載のアンテナ。
【請求項１６】
前記磁性コアの軸線と、前記アンテナ本体の端部の軸線とが一致しないように構成されていることを特徴とする請求項８から１５のいずれか１つに記載のアンテナ。
【請求項１７】
前記アンテナ本体巻き付け部に、スリットまたは開口部が形成されていることを特徴とする請求項８から１６のいずれか１つに記載のアンテナ。
【請求項１８】
前記アンテナは、情報を有する電波を受信する電波受信機器の内部に配置されることを特徴とする請求項１から１７のいずれか１つに記載のアンテナ。
【請求項１９】
請求項１８に記載のアンテナを、少なくとも一部が不導体からなる外装の内部に備えたことを特徴とする電波受信機器。
【請求項２０】
前記アンテナカバー体の延設部が、前記外装の不導体である部分と平面的に重なるように配置されていることを特徴とする請求項１９に記載の電波受信機器。
【請求項２１】
請求項１９から２０のいずれか１つに記載の電波受信機器であって、
該電波受信機器の外装は、裏蓋と、該裏蓋および風防ガラスと嵌合する時計ケースとを有し、
文字盤または時刻表示手段を備えた電波修正時計であることを特徴とする電波受信機器。
【発明の詳細な説明】
【技術分野】
【０００１】
本発明は、例えば、電波式腕時計、腕時計型ページャ、携帯電話、携帯テレビ、携帯ラジオなど、情報を有する電波を受信する電波受信機器の内部に配置されるアンテナ、および、アンテナを備えた電波受信機器に関し、より詳細には、時刻情報を含む所定の電波を受信し、その情報に基づいて時刻を修正する機能を有する電波修正時計用アンテナ、特に、腕時計型の電波修正時計用アンテナ、および、アンテナを備えた電波受信機器に関する。
【背景技術】
【０００２】
近年、腕時計型の電波修正時計が広く普及してきており、標準電波（時刻修正電波）を時計に内蔵したアンテナによって受信し、その情報を処理し、運針駆動用モータで正確な時刻を表すように、指針修正する機能が広く認知されるに至った。【０００３】
そのような機能を搭載するにあたり、標準電波を受信するための受信感度の向上は、電波修正時計の性能を左右する課題であるが、腕時計型といった小型の時計では、その大きさの制約から解決すべき課題は多い。【０００４】
そのような課題を解決する方法や手段は、多くの提案を見るところである。一般的にアンテナを大きくすることで、受信感度を向上することができるが、アンテナと時計を構成する他の部品との間で制約を受けることもある。すなわち、アンテナの巻線部分と時計外装に代表される金属物が近くに配置されると、アンテナで共振した電流によって発生する磁束が、アンテナに近接配置された金属を貫く時に渦電流を発生させ、この作用によって損失が発生するのである。【０００５】
しかしながら、そのような損失を排除するための方法や手段も、従来より数多く提案されている（例えば、特許文献１，特許文献２参照。）。【０００６】
特許文献１に示した従来技術は、磁性体からなる磁心にコイルを巻回した主磁路部材を有し、比透磁率が２以上かつ主磁路部材より小さい比透磁率の材質で形成されたケースを有しており、これを副磁路部材としている。【０００７】
この副磁路部材を具備することにより、外部からの磁束を主磁路材部材に通し、アンテナで共振した電流によって発生する磁束が、外装などの金属を貫かないように、その副磁路部材を磁束が通るように構成している。【０００８】
電波修正時計のアンテナでは、コア（磁心）によって集められた磁束によって、コイルにて電流が発生し、コイルと外部に付加したコンデンサで共振して、Q倍の共振電流が発生する。【０００９】
この共振電流によってコイルには磁束が生じるが、その磁束が外装などの金属を貫くときに発生する渦電流損失が、アンテナの損失として働き、金属外装を使用するうえでの問題となっている。【００１０】
特許文献１に示した従来技術では、この損失を減らすために、副磁路部材として、主磁路部材よりも透磁率の低い低比透磁率のケースを設けることにより、外装などの金属に向かう磁束をケースに流し、アンテナから外部に出る磁束総量を減らすものである。【００１１】
また、特許文献２では、上記のような渦電流損失によるアンテナの損失を減らすために、磁性コア部に導線が巻き付けられたコイル部の周囲を、磁性コア部と同じ軟磁性材料で形成されたカバー部材で被覆するアンテナ構造が開示されている。【００１２】
これにより、外装などの金属に向かう磁束をカバー部材に流して、アンテナで共振した電流によって発生する磁束が、アンテナに近接配置された金属を貫かないようにして、渦電流の発生を防止して、損失が発生するのを防止するように構成されている。
【特許文献１】特開２００５−１９８２５５号公報（第１頁）
【特許文献２】国際公開公報  ＷＯ  ２００５／０５７７２６  Ａ１  パンフレット
【発明の開示】
【発明が解決しようとする課題】
【００１３】
しかしながら、発明者が検討したところによると、腕時計型の電波修正時計に、特許文献１に示した従来技術のアンテナを用いても、主磁路部材と時計外装との間で、渦電流損失が発生してしまうことがわかった。【００１４】
すなわち、特許文献１に示す従来技術は、主磁路部材よりも透磁率の低いケースを用いているが、これでは、より磁束が流れやすい主磁路部材と外装とが近接する箇所から、外装に磁束が流れてしまい、渦電流損失を効果的に防ぐことができないのである。【００１５】
このため、アンテナコアとなる主磁路部材を、丸ごと磁性体で覆う構造が提案されているが、アンテナに更にそれを丸ごと覆う磁性体を施した場合、アンテナサイズの大幅な増大によって、腕時計では実質的に実現しがたい構造となってしまう。【００１６】
また、近年の腕時計の小型軽量化の要求から、腕時計の内部は、部品が高密度に実装されており、腕時計の形状の中心部には、運針を駆動するための機構部品が配置されている。そのため、この機構部品を避けてアンテナを配置するためには、時計外装の内壁に沿って配置する必要がある。【００１７】
このような制約の中で、アンテナを可能な限り大きくして、感度を向上させようとする場合、時計外装の内壁の形状、例えば、時計外装が平面的に円形だったとき、円周に沿った形に成型されたアンテナコアに、そのままコイルを巻回する必要があって、そのようなアンテナは、実際の製造上では大きな手間がかかってしまう。【００１８】
また、このような円周に沿った形に成型されたアンテナコアとなる主磁路部材を、丸ごと磁性体で覆う構造の腕時計へ適用しようとする場合には、主磁路部材を覆う磁性体も円周に沿った形状に加工しなければならず、工作精度の観点からも非常な困難を伴うことになる。【００１９】
こうしたことから、狭い腕時計内部に搭載するアンテナ全体に、磁性体を取り付けることによって、渦電流損失を効果的に防ぐことは、アンテナサイズが小さい場合には適用可能であるが、小さいアンテナサイズでは、感度が不足してしまうという問題がある。【００２０】
これを改善させるために、アンテナサイズを大きくして、しかも、アンテナの形状を、腕時計内部の機構部品に配慮した形状にしようとする場合には、最終的なアンテナサイズの観点と主磁路部材を覆う磁性体の工作精度の観点から、腕時計での適用は不可能である。【００２１】
また、特許文献２において、コイル部の周囲を、アンテナコア部と同じ軟磁性材料で形成されたカバー部材で被覆する形状であるので、アンテナ自体は小さいサイズのままであって、このような小さいアンテナサイズでは、感度が不足してしまうという問題がある。【００２２】
この場合にも、アンテナを可能な限り大きくして、感度を向上させるために、時計外装の円周に沿った形に成型されたアンテナコアとして、このアンテナコアのコイル部を、カバー部材で被覆するためには、コイル部を覆うカバー部材も円周に沿った形状に加工しなければならず、工作精度の観点からも非常な困難を伴うことになる。【００２３】
本発明の目的は、受信性能を劣化させる金属外装内部に発生する渦電流損失を防ぐためになされたものであって、例えば、小型軽量化が要求される腕時計内部の機構部品に配慮した形状のアンテナにおいても適用可能であり、アンテナから外部に出る磁束総量を減らして、渦電流損失による受信感度の低下を防ぐことができるとともに、アンテナの受信性能を向上させることが可能なアンテナ、および、アンテナを備えた電波受信機器を提供することを目的とする。
【課題を解決するための手段】
【００２４】
本発明は、前述したような従来技術における課題及び目的を達成するために発明されたものであって、以下に示す構造を採用するものである。【００２５】
本発明のアンテナは、
柱状の磁性コアと、該磁性コアの周囲に導線が巻回される巻線部からなるアンテナ本体と、
前記アンテナ本体を収容するアンテナ本体収容部が形成されたアンテナカバー体と、
を備えるアンテナであって、
前記アンテナ本体を前記アンテナカバー体に収容した状態で、前記アンテナ本体の少なくとも一面が、前記アンテナカバー体で覆われるとともに、
前記アンテナ本体の端部と、前記アンテナカバー体のアンテナ本体収容部とが、接するか、または、磁気的に結合していることを特徴とする。【００２６】
このように構成することによって、アンテナ本体をアンテナカバー体のアンテナ本体収容部に収容した状態で、アンテナ本体の少なくとも一面が、アンテナカバー体で覆われることになる。【００２７】
しかも、この状態で、アンテナ本体の端部と、アンテナカバー体のアンテナ本体収容部とが、接するか、または、磁気的に結合している状態である。【００２８】
従って、外部からの磁束が、アンテナカバー体に入り、アンテナカバー体のアンテナ本体収容部から、これに接するか、または、磁気的に結合している状態で、アンテナカバー体のアンテナ本体収容部に収容されたのアンテナ本体の端部から、アンテナ本体の磁性コアに入り、その結果、コイルにて電流が発生し、コイルと外部に付加したコンデンサで共振して、Q倍の共振電流が発生する。【００２９】
この共振電流によってコイルには磁束が生じるが、アンテナ本体をアンテナカバー体のアンテナ本体収容部に収容した状態で、アンテナ本体の少なくとも一面が、アンテナカバー体で覆われるので、アンテナ本体からの磁束が外部に洩れ難くなり、アンテナに近接配置された金属を貫かず、渦電流の発生を防止することができ、渦電流損失による受信感度の低下を防ぐことができる。【００３０】
従って、例えば、小型軽量化が要求される腕時計内部の機構部品に配慮した形状のアンテナにおいても適用可能であり、アンテナから外部に出る磁束総量を減らして、渦電流損失による受信感度の低下を防ぐことができるとともに、アンテナの受信性能を向上させることが可能となる。【００３１】
また、本発明のアンテナは、前記アンテナ本体の端部に、前記磁性コアを延設したコア延設部を備えることを特徴とする。【００３２】
このようにアンテナ本体の端部に、磁性コアを延設したコア延設部を備えることによって、より広い面積でアンテナカバー体と接することができ、アンテナ本体の端部と、アンテナカバー体のアンテナ本体収容部とが、接するか、または、磁気的に結合し易くなり、アンテナ本体からの磁束が外部に洩れ難くなり、アンテナに近接配置された金属を貫かず、渦電流の発生を防止することができ、渦電流損失による受信感度の低下を防ぐことができる。【００３３】
しかも、磁性コアを作製する際にも、コア延設部を支持して巻線を巻き付けることができ、アンテナ本体の作製が容易になる。【００３４】
また、本発明のアンテナは、前記アンテナカバー体が、前記アンテナ本体収容部から延設した延設部を備えることを特徴とする。【００３５】
このように構成することによって、アンテナ本体収容部から延設した延設部によって、磁束を多く集めることができ、いわゆる集磁束作用に優れることになる。従って、例えば、腕時計に適用した場合に、風防ガラス側、裏蓋側、時計ケース側面の方向からの磁束をより多く収集することができ、受信感度に優れた受信アンテナを構成することができる。【００３６】
これによって、電波修正時計を小型化することができるとともに、時刻表示機能の精度を向上することができる。【００３７】
また、本発明のアンテナは、前記アンテナ本体収容部が、前記アンテナカバー体に形成した凹部または開口により構成されていることを特徴とする。【００３８】
このようにアンテナ本体収容部が、アンテナカバー体に形成した凹部または開口により構成されていれば、アンテナ本体をアンテナ本体収容部に容易に収容することができ、アンテナの組み立て工程を簡略化することができる。【００３９】
また、本発明のアンテナは、
前記アンテナカバー体が、少なくとも上下一対のアンテナカバー分割体から構成され、
前記アンテナカバー分割体には、前記アンテナ本体収容部を形成する切欠部が形成され、
前記アンテナカバー分割体を組み付けることによって、前記切欠部により形成された前記アンテナ本体収容部内に、前記アンテナ本体を収容するように構成したこと特徴とする。【００４０】
このように構成することによって、アンテナカバー分割体を組み付けるだけで、アンテナカバー体を構成できるとともに、切欠部によって、アンテナ本体収容部を同時に構成することができる。【００４１】
従って、例えば、時計外装の内壁の形状、すなわち、円周に沿った形状の磁性コアなどを収容するアンテナ本体収容部が形成された、複雑な形状のアンテナを簡単に作製することができる。【００４２】
しかも、このようなアンテナカバー分割体を、例えば、アモルファスのような高透磁率の薄膜材料を積層した板状構造とすることができ、アンテナ本体からの磁束が外部に洩れ難くなり、アンテナに近接配置された金属を貫かず、渦電流の発生を防止することができ、渦電流損失による受信感度の低下を防ぐことができる。【００４３】
また、本発明のアンテナは、前記アンテナカバー分割体を組み付けることによって、前記コア延設部を挟持するように構成されていることを特徴とする。【００４４】
このように構成することによって、アンテナカバー分割体を組み付けることによって、前記コア延設部を挟持するので、アンテナカバー分割体を組み付けるだけで、アンテナカバー体を構成できるとともに、アンテナ本体収容部を形成する切欠部内にアンテナ本体を収容することができるので、アンテナの組み立て工程を簡略化することができる。【００４５】
しかも、例えば、時計外装の内壁の形状、すなわち、円周に沿った形状の磁性コアを作製する際にも、このような挟持部を構成するコア延設部を支持して巻線を巻き付けることができ、アンテナ本体の作製が容易になる。【００４６】
また、本発明のアンテナは、前記アンテナカバー分割体のうち、最上側または最下側の前記アンテナカバー分割体の少なくとも一方には、前記切欠部が形成されていないこと特徴とする。【００４７】
このように構成することによって、切欠部が形成されていない最上側または最下側のアンテナカバー分割体によって、アンテナ本体の少なくとも上下面が、アンテナカバー体で覆われるので、アンテナ本体からの磁束が外部にさらに洩れ難くなり、アンテナに近接配置された金属を貫かず、渦電流の発生を防止することができ、渦電流損失による受信感度の低下をより効果的に防ぐことができる。【００４８】
また、本発明のアンテナは、
前記アンテナカバー体が、
平板形状のアンテナ本体巻き付け部と、
前記アンテナ本体巻き付け部の端部から、前記磁性コアから離間する方向に延設された平板形状の延設部と、
から構成される平板アンテナカバー体から構成され、
前記アンテナ本体巻き付け部を、前記アンテナ本体の端部の周囲に巻き付けることによって、前記アンテナ本体収容部が形成され、前記アンテナ本体を収容するように構成されていることを特徴とする。【００４９】
このように構成することによって、平板形状のアンテナ本体巻き付け部と、このアンテナ本体巻き付け部の端部から、磁性コアから離間する方向に延設された平板形状の延設部とを備えたアンテナカバー体を板状に成形しておき、アンテナ本体巻き付け部を、アンテナ本体の端部の周囲に巻き付けることによって、アンテナ本体収容部が形成され、アンテナ本体を収容することができる。【００５０】
従って、このような平板形状のアンテナカバー体を成形して、アンテナ本体に巻き付けるだけで、簡単にかつ大量にアンテナを作製することができ、製造工程を簡略化することができるとともにコストを低減することができる。【００５１】
しかも、平板形状のアンテナカバー体を、例えば、アモルファスのような高透磁率の薄膜材料を積層した板状構造とすることができ、アンテナ本体からの磁束が外部に洩れ難くなり、アンテナに近接配置された金属を貫かず、渦電流の発生を防止することができ、渦電流損失による受信感度の低下を防ぐことができる。【００５２】
また、アンテナ本体巻き付け部の端部から、磁性コアから離間する方向に延設された平板形状の延設部によって、磁束を多く集めることができ、いわゆる集磁束作用に優れることになる。従って、例えば、腕時計に適用した場合に、風防ガラス側、裏蓋側、時計ケース側面の方向からの磁束をより多く収集することができ、受信感度に優れた受信アンテナを構成することができる。【００５３】
これによって、電波修正時計を小型化することができるとともに、時刻表示機能の精度を向上することができる。【００５４】
また、本発明のアンテナは、
前記アンテナ本体巻き付け部を、前記アンテナ本体の端部の周囲に巻き付けた状態で、
前記延設部の少なくとも一部が、前記アンテナ本体の端部と接するか、または、磁気的に結合していることを特徴とする。【００５５】
このように構成することによって、延設部で捕捉された磁束は、フェライトなどの軟磁性材料からなる磁性コアを通じて流れる。一方、アンテナ本体巻き付け部の方にも、延設部からの磁束が流れるが、アンテナ本体巻き付け部と延設部は、両端の一部だけで繋がっている状態（アンテナ本体の端部と接するか、または、磁気的に結合している状態）であり、しかも、鋭角な折り曲げ構造であるので、磁束の多くは磁性コアの方を流れることになる。【００５６】
一方、磁性コアを流れる磁束と巻線によって発生する起電力によって生じる磁束が、周辺にある、例えば、腕時計などの金属外装などの金属部材を貫くことによって、渦電流損失が生じるが、この渦電流損失は、磁性コアと近接して配置された外装より透磁率が遙かに高いアンテナ本体巻き付け部に、発生した磁束が流れ込むことにより、金属部材を貫く磁束が減り、その結果、渦電流損失が低減されることになる。【００５７】
また、本発明のアンテナは、前記延設部が、前記アンテナ本体巻き付け部の両端からそれぞれ延設されているとともに、前記延設部同士が相互に平面的に重ならないように設けられていることを特徴とする。【００５８】
すなわち、延設部同士が相互に平面的に重なっていると、標準電波を受信し、一方の延設部から流入した磁束が、他方の延設部へ流れ出てしまい、磁性コアへ磁束が流れにくくなってしまい、電波の受信感度が低下してしまうことになる。【００５９】
これに対して、本発明のアンテナでは、延設部同士が相互に平面的に重ならないように設けられているので、このような延設部間での磁束の流れを防止することができ、電波の受信感度の低下を防止することができる。【００６０】
また、本発明のアンテナは、前記延設部が、前記アンテナ本体巻き付け部の両端からそれぞれ少なくとも２つずつ延設されているとともに、異なる端部から延設された前記延設部同士が相互に平面的に重ならないように設けられていることを特徴とする。【００６１】
このように構成することによって、延設部が、アンテナ本体巻き付け部の両端からそれぞれ少なくとも２つずつ延設されているので、これらのアンテナ本体収容部から延設した延設部によって、磁束をより多く集めることができ、いわゆる集磁束作用にさらに優れることになる。従って、例えば、腕時計に適用した場合に、風防ガラス側、裏蓋側、時計ケース側面の方向からの磁束をより多く収集することができ、受信感度に優れた受信アンテナを構成することができる。【００６２】
これによって、電波修正時計を小型化することができるとともに、時刻表示機能の精度を向上することができる。【００６３】
しかも、異なる端部から延設された延設部同士が相互に平面的に重ならないので、上記したような延設部間での磁束の流れを防止することができ、磁性コアへ磁束が流れ易くなり、電波の受信感度の低下を防止することができる。【００６４】
また、本発明のアンテナは、前記アンテナ本体巻き付け部の両端から少なくとも２つずつ延設されている前記延設部が、該延設部の厚さ方向に離間して設けられていることを特徴とする。【００６５】
このようにアンテナ本体巻き付け部の両端から少なくとも２つずつ延設されている延設部が、延設部の厚さ方向に離間して設けられているので、これらのアンテナ本体収容部から延設した延設部によって、磁束をより多く集めることができ、いわゆる集磁束作用にさらに優れており、受信感度に優れた受信アンテナを構成することができる。【００６６】
また、本発明のアンテナは、前記アンテナ本体巻き付け部をアンテナ本体の端部の周囲に巻き付けた状態で、前記アンテナ本体巻き付け部が、前記アンテナ本体の端部面を覆う端部被覆部を備えることを特徴とする。【００６７】
このように構成することによって、アンテナ本体の端部面を覆う端部被覆部によって、アンテナ本体が支持されることになり、アンテナ本体巻き付け部によって形成されたアンテナ本体収容部から抜け落ちたり、移動するのを防止することができる。【００６８】
また、本発明のアンテナは、前記端部被覆部が、前記アンテナ本体の両端部面を覆うように形成されていることを特徴とする。【００６９】
このように構成することによって、アンテナ本体の両端部面を覆う端部被覆部によって、アンテナ本体が支持されることになり、アンテナ本体巻き付け部によって形成されたアンテナ本体収容部から抜け落ちたり、移動するのをさらに防止することができる。【００７０】
また、本発明のアンテナは、前記アンテナ本体巻き付け部が、前記アンテナ本体の端部の周囲に巻き付けた状態で、前記アンテナ本体の端部の少なくとも一部と離間していることを特徴とする。【００７１】
このように構成することによって、延設部で捕捉された磁束は、フェライトなどの軟磁性材料からなる磁性コアを通じて流れる。一方、アンテナ本体巻き付け部の方にも、延設部からの磁束が流れるが、アンテナ本体巻き付け部と延設部は、両端の一部だけで細長く繋がっている状態（アンテナ本体の端部と接するか、または、磁気的に結合している状態）であり、磁束の多くは磁性コアの方を流れることになる。【００７２】
一方、磁性コアを流れる磁束と巻線によって発生する起電力によって生じる磁束が周辺にある、例えば、腕時計などの金属外装などの金属部材を貫くことによって、渦電流損失が生じるが、この渦電流損失は、磁性コアと近接して配置された外装より透磁率が遙かに高いアンテナ本体巻き付け部が、磁性コアとは接しておらず離間しているが、金属外装と磁性コアとの間に存在しているので、発生した磁束が、アンテナ本体巻き付け部に流れ込むことにより、金属部材を貫く磁束が減り、その結果、渦電流損失が低減されることになる。【００７３】
また、本発明のアンテナは、前記磁性コアの軸線と、前記アンテナ本体の端部の軸線とが一致しないように構成されていることを特徴とする。【００７４】
このように構成することによって、アンテナカバー体と延設部との磁気的な結合が、物理的にも離されることになるので、磁束のより多くが磁性コアの方を流れ、受信感度に優れることになる。【００７５】
また、本発明のアンテナは、前記アンテナ本体巻き付け部に、スリットまたは開口部が形成されていることを特徴とする。【００７６】
このようにアンテナ本体巻き付け部に、スリットまたは開口部が形成されているので、アンテナ本体巻き付け部に磁束が流れにくくなり、磁束のより多くが磁性コアの方を流れ、受信感度に優れることになる。【００７７】
また、本発明のアンテナは、前記アンテナは、情報を有する電波を受信する電波受信機器の内部に配置されることを特徴とする。【００７８】
このように構成することによって、例えば、電波式腕時計、腕時計型ページャ、携帯電話、携帯テレビ、携帯ラジオなど、電波を利用して各種の情報を受信する携帯型の電波受信機器において、アンテナから外部に出る磁束総量を減らすことができ、渦電流損失による受信感度の低下を防ぐことができるとともに、アンテナの受信性能を向上させることが可能となる。【００７９】
また、本発明のアンテナを搭載した電波受信機器は、以下に示す構成を採用する。【００８０】
本発明の電波受信機器は、前述に記載のアンテナを、少なくとも一部が不導体からなる外装の内部に備えたことを特徴とする。【００８１】
このように少なくとも一部が不導体からなる外装の内部にアンテナを備えた電波受信機器であれば、この不導体からなる外装部分から、アンテナにより、情報を有する電波を受信することができる。【００８２】
また、本発明の電波受信機器は、前記アンテナカバー体の延設部が、前記外装の不導体である部分と平面的に重なるように配置されていることを特徴とする。【００８３】
このようにアンテナカバー体の延設部が、前記外装の不導体である部分と平面的に重なるように配置されているので、この不導体である部分から、アンテナにより、情報を有する電波を受信することができる。【００８４】
また、本発明の電波受信機器は、前述のいずれか１つに記載の電波受信機器であって、
前記電波受信機器の外装は、裏蓋と、該裏蓋および風防ガラスと嵌合する時計ケースとを有し、
文字盤または時刻表示手段を備えた電波修正時計であることを特徴とする。【００８５】
このように構成することによって、電波修正時計において、アンテナから外部に出る磁束総量を減らすことができ、渦電流損失による受信感度の低下を防ぐことができるとともに、アンテナの受信性能を向上させることが可能となる。
【発明の効果】
【００８６】
本発明によれば、アンテナ本体をアンテナカバー体のアンテナ本体収容部に収容した状態で、アンテナ本体の少なくとも一面が、アンテナカバー体で覆われることになる。【００８７】
しかも、この状態で、アンテナ本体の端部と、アンテナカバー体のアンテナ本体収容部とが、接するか、または、磁気的に結合している状態である。【００８８】
従って、外部からの磁束が、アンテナカバー体に入り、アンテナカバー体のアンテナ本体収容部から、これに接するか、または、磁気的に結合している状態で、アンテナカバー体のアンテナ本体収容部に収容されたのアンテナ本体の端部から、アンテナ本体の磁性コアに入り、その結果、コイルにて電流が発生し、コイルと外部に付加したコンデンサで共振して、Q倍の共振電流が発生する。【００８９】
この共振電流によってコイルには磁束が生じるが、アンテナ本体をアンテナカバー体のアンテナ本体収容部に収容した状態で、アンテナ本体の少なくとも一面が、アンテナカバー体で覆われるので、アンテナ本体からの磁束が外部に洩れ難くなり、アンテナに近接配置された金属を貫かず、渦電流の発生を防止することができ、渦電流損失による受信感度の低下を防ぐことができる。【００９０】
従って、例えば、小型軽量化が要求される腕時計内部の機構部品に配慮した形状のアンテナにおいても適用可能であり、アンテナから外部に出る磁束総量を減らして、渦電流損失による受信感度の低下を防ぐことができるとともに、アンテナの受信性能を向上させることが可能となる。【００９１】
また、本発明によれば、平板形状のアンテナ本体巻き付け部と、このアンテナ本体巻き付け部の端部から、磁性コアから離間する方向に延設された平板形状の延設部とを備えたアンテナカバー体を板状に成形しておき、アンテナ本体巻き付け部を、アンテナ本体の端部の周囲に巻き付けることによって、アンテナ本体収容部が形成され、アンテナ本体を収容することができる。【００９２】
従って、このような平板形状のアンテナカバー体を成形して、アンテナ本体に巻き付けるだけで、簡単にかつ大量にアンテナを作製することができ、製造工程を簡略化することができるとともにコストを低減することができる。【００９３】
しかも、平板形状のアンテナカバー体を、例えば、アモルファスのような高透磁率の薄膜材料を積層した板状構造とすることができ、アンテナ本体からの磁束が外部に洩れ難くなり、アンテナに近接配置された金属を貫かず、渦電流の発生を防止することができ、渦電流損失による受信感度の低下を防ぐことができる。【００９４】
また、アンテナ本体巻き付け部の端部から、磁性コアから離間する方向に延設された平板形状の延設部によって、磁束を多く集めることができ、いわゆる集磁束作用に優れることになる。従って、例えば、腕時計に適用した場合に、風防ガラス側、裏蓋側、時計ケース側面の方向からの磁束をより多く収集することができ、受信感度に優れた受信アンテナを構成することができる。【００９５】
これによって、電波修正時計を小型化することができるとともに、時刻表示機能の精度を向上することができる。【００９６】
従って、本発明によれば、渦電流損の削減と、カバー部分を別体にすることによって生じる製造コストの増大の削減と、位置決めの精度向上が可能となり、アンテナのインダクタンス等の諸特性にばらつきが少ない、低コスト、且つ高性能なアンテナを提供することが可能となる。
【図面の簡単な説明】
【００９７】
【図１】図１は、本発明のアンテナを電波修正時計に適用した実施例の分解斜視図である。
【図２】図２は、図１のアンテナを電波修正時計に組み込んだ様子を説明する上面概略図である。
【図３】図３は、図１のアンテナの別の実施例を示す分解斜視図である。
【図４】図４は、図１のアンテナの別の実施例を示す分解斜視図である。
【図５】図５は、本発明のアンテナを電波修正時計に適用した別の実施例の分解斜視図である。
【図６】図６は、図５のアンテナの別の実施例を示す分解斜視図である。
【図７】図７は、図５のアンテナの別の実施例を示す分解斜視図である。
【図８】図８は、本発明のアンテナを電波修正時計に適用した別の実施例の分解斜視図である。
【図９】図９は、図８のＡ方向端面図である。
【図１０】図１０は、図８のＢ−Ｂ線での断面図である。
【図１１】図１１は、図８のアンテナカバー体の展開図である。
【図１２】図１２は、図８のアンテナの組み立て状態を説明する概略図である。
【図１３】図１３は、図８のアンテナの別の実施例を示すＡ方向端面図である。
【図１４】図１４は、図８のアンテナの別の実施例を示すＢ−Ｂ線での断面図である。
【図１５】図１５は、図８のアンテナの別の実施例を示すＢ−Ｂ線での断面図である。
【図１６】図１６は、本発明のアンテナを電波修正時計に適用した別の実施例の分解斜視図である。
【図１７】図１７は、図１６のＡ方向端面図である。
【図１８】図１８は、図１６のＢ−Ｂ線での断面図である。
【図１９】図１９は、図１６のアンテナカバー体の展開図である。
【図２０】図２０は、図１６のアンテナの組み立て状態を説明する概略図である。
【図２１】図２１は、図１６のアンテナの別の実施例を示す図である。
【図２２】図２２は、本発明のアンテナを電波修正時計に適用した別の実施例の分解斜視図である。
【図２３】図２３は、図２２のＡ方向端面図である。
【図２４】図２４は、図２２のアンテナカバー体の展開図ある。
【図２５】図２５は、図２２のアンテナの組み立て状態を説明する概略図である。
【図２６】図２６は、本発明のアンテナのアンテナカバー体の別の実施例を示す展開図ある。
【符号の説明】
【００９８】
１     アンテナ
２     アンテナ本体
２ｄ   軸線
４     アンテナ本体収容部
６     アンテナカバー体
８     磁性コア
８ａ   内側面
８ｂ   底面
８ｃ   外側面
８ｄ   軸線
１０   巻線部
１２   コア延設部
１２ａ 内側面
１２ｂ 底面
１２ｃ 外側面
１４   アンテナカバー本体部
１６、１８    端面
２０   延設部
２２   時計外装
２４   コア延設末端部
２６   コア延設末端収容部
３０   第１のアンテナカバー分割体
３１、３３    突設部
３２   第２のアンテナカバー分割体
３４   第１の切欠部
３６   第２の切欠部
３８、４０    アンテナカバー分割体
４２   アンテナ本体巻き付け部
４２ａ 内側面
４２ｂ 底面
４２ｃ 外側面
４４   端部
４６   延設部
５０   切欠部
５２   端部被覆部
５４   連結部
５８   スリット
６０   開口部
ａ、ｂ、ｃ    折り曲げ線
【発明を実施するための最良の形態】
【００９９】
以下、本発明の実施例（実施形態）を図面に基づいてより詳細に説明する。本発明の実施例では、本発明のアンテナを備えた電波受信機器の一例として、電波修正時計を用いる例を説明する。
［アンテナの形状の説明１：図１，図２，図３］
図１は、本発明のアンテナを電波修正時計に適用した実施例の分解斜視図、図２は、図１のアンテナを電波修正時計に組み込んだ様子を説明する上面概略図である。図３は、本発明のアンテナを電波修正時計に適用した別の実施例の分解斜視図である。【０１００】
図１において、符号１は、全体で本発明のアンテナを示している。アンテナ１は、アンテナ本体２と、このアンテナ本体を収容するアンテナ本体収容部４が形成されたアンテナカバー体６とを備えるものである。図２おいて、２２は、時計外装を示している。【０１０１】
アンテナ本体２は、略柱状の磁性コア８を備えており、この磁性コア８の周囲に導線が巻回される巻線部１０が形成されている。また、アンテナ本体２は、アンテナ本体２の端部に、磁性コア８を延設した略矩形板形状のコア延設部１２を備えている。【０１０２】
この場合、アンテナ本体２の磁性コア８とコア延設部１２とは、一体的に形成されており、略同じ透磁率の材料、例えば、フェライトなどの軟磁性材料などで構成している。【０１０３】
なお、この実施例の場合には、アンテナ本体２の磁性コア８とコア延設部１２とは、一体的に形成したが、磁性コア８とコア延設部１２とを、別体で形成しても良い。すなわち、磁性コア８とコア延設部１２とが、これらが接するか、または、磁気的に結合していれば良い。【０１０４】
この場合、本明細書中、「接する」とは、当接している状態を意味し、「磁気的に結合している」とは、当接している状態、近接している状態のいずれの場合にも磁束が流れる状態を意味する。【０１０５】
一方、アンテナカバー体６は、アンテナカバー本体部１４を備えており、このアンテナカバー本体部１４に、内側に開口した凹部から構成したアンテナ本体収容部４が形成されている。【０１０６】
なお、以下の明細書では、「内側」、「外側」とは、アンテナ１が装着される胴部の外装に対する方向を言う。【０１０７】
このアンテナ本体収容部４は、アンテナ本体２を収納する際に、コア延設部１２の端面１６と、アンテナ本体収容部４の端面１８とが嵌合するようになっている。【０１０８】
このとき、アンテナ本体２は、コア延設部１２を介して、アンテナカバー体６に磁気的に結合するように構成されている。【０１０９】
すなわち、アンテナ本体２の端部であるコア延設部１２の端面１６と、アンテナカバー体６のアンテナ本体収容部４の端面１８とが、接するか、または、磁気的に結合している。【０１１０】
また、アンテナカバー体６は、アンテナ本体収容部４から、すなわち、アンテナカバー本体部１４の両端部から延設した延設部２０を備えている。これらの延設部２０は、図２に示すように、時計外装２２の内壁に沿って湾曲した形状を有している。【０１１１】
この実施例の場合、アンテナカバー体６は、アンテナカバー本体部１４と延設部２０とは一体的に形成されている。しかしながら、アンテナカバー本体部１４と延設部２０とは、別体で形成しても良い。すなわち、アンテナカバー本体部１４と延設部２０とが、これらが接するか、または、磁気的に結合していれば良い。【０１１２】
なお、アンテナカバー体６は、アンテナ本体２のコア延設部１２と、略同じ透磁率を有する、例えば、例えば、フェライトなどの軟磁性材料などで構成している。【０１１３】
図２に示すように、この実施例では、本発明のアンテナ１を電波修正時計に組み込んだ状態で、アンテナカバー体６のアンテナカバー本体部１４と延設部２０は、時計外装２２の内壁に沿って湾曲した形状に構成されている。【０１１４】
しかしながら、アンテナカバー体６の形状は、時計の形状に応じて自由に選択することができ、制約のある腕時計内部でアンテナカバー体６を容易に大きくすることが可能である。これにより磁束を広く集めることが可能となり感度の向上が行われる。【０１１５】
このような構成とすることにより、アンテナ本体収容部４にアンテナ本体２が収納された状態では、時計外装の影響を最も受け易い胴や裏蓋の方向が、アンテナカバー体６で覆われているため、アンテナ本体収容部４に磁束がより多く流れる効果が現れ、その結果として、アンテナ本体２からの磁束が外部に洩れ難くなり渦電流損失による受信感度の低下を防ぐことができる。【０１１６】
すなわち、アンテナ本体２をアンテナカバー体６のアンテナ本体収容部４に収容した状態で、アンテナ本体２の少なくとも一面が、アンテナカバー体６で覆われることになる。【０１１７】
しかも、この状態で、アンテナ本体２の端部と、アンテナカバー体６のアンテナ本体収容部４とが、接するか、または、磁気的に結合している状態である。【０１１８】
従って、外部からの磁束が、アンテナカバー体６に入り、アンテナカバー体６のアンテナ本体収容部４から、これに接するか、または、磁気的に結合している状態で、アンテナカバー体６のアンテナ本体収容部４に収容されたのアンテナ本体２の端部から、アンテナ本体２の磁性コア８に入り、その結果、コイルにて電流が発生し、コイルと外部に付加したコンデンサで共振して、Q倍の共振電流が発生する。【０１１９】
この共振電流によってコイルには磁束が生じるが、アンテナ本体２をアンテナカバー体６のアンテナ本体収容部４に収容した状態で、アンテナ本体の少なくとも一面が、アンテナカバー体で覆われるので、アンテナ本体２からの磁束が外部に洩れ難くなり、アンテナ１に近接配置された金属（時計外装２２）を貫かず、渦電流の発生を防止することができ、渦電流損失による受信感度の低下を防ぐことができる。【０１２０】
従って、例えば、小型軽量化が要求される腕時計内部の機構部品に配慮した形状のアンテナにおいても適用可能であり、アンテナから外部に出る磁束総量を減らして、渦電流損失による受信感度の低下を防ぐことができるとともに、アンテナの受信性能を向上させることが可能となる。【０１２１】
さらに、このようにアンテナ本体２の端部に、磁性コア８を延設したコア延設部１２を備えることによって、より広い面積でアンテナカバー体６と接することができ、アンテナ本体２の端部と、アンテナカバー体６のアンテナ本体収容部４とが、接するか、または、磁気的に結合し易くなり、アンテナ本体２からの磁束が外部に洩れ難くなり、アンテナに近接配置された金属を貫かず、渦電流の発生を防止することができ、渦電流損失による受信感度の低下を防ぐことができる。【０１２２】
しかも、磁性コア８を作製する際にも、コア延設部１２を支持して巻線を巻き付けることができ、アンテナ本体の作製が容易になる。【０１２３】
また、アンテナ本体収容部４から延設した延設部２０によって、磁束を多く集めることができ、いわゆる集磁束作用に優れることになる。従って、例えば、腕時計に適用した場合に、風防ガラス側、裏蓋側、時計ケース側面の方向からの磁束をより多く収集することができ、受信感度に優れた受信アンテナを構成することができる。【０１２４】
これによって、電波修正時計を小型化することができるとともに、時刻表示機能の精度を向上することができる。【０１２５】
なお、上記実施例では、アンテナ本体収容部４が、アンテナカバー体６に内側に開口する凹部で形成したが、アンテナ本体２の少なくとも一面が、アンテナカバー体６で覆われていれば良く、例えば、図３に示すように、上側に開口する凹部からアンテナ本体収容部４を形成するなど、図示しないが、その開口位置は、外側、下側など適宜変更することができる。【０１２６】
また、上記実施例では、アンテナ本体収容部４が、アンテナカバー体６に内側に開口する凹部で形成したが、開口（貫通穴）により構成することもできる。この場合にも貫通位置としては、特に限定されるものではなく、上下方向、斜め方向など適宜変更することができる。【０１２７】
このようにアンテナ本体収容部４が、アンテナカバー体６に形成した凹部または開口により構成されていれば、アンテナ本体２をアンテナ本体収容部４に容易に収容することができ、アンテナの組み立て工程を簡略化することができる。【０１２８】
さらに、上記実施例では、アンテナ本体２と、アンテナカバー体６とを、略同じ透磁率の材料、例えば、フェライトなどの軟磁性材料などで構成したが、例えば、アモルファスなどの高透磁率の薄膜材料を積層して構成することもできる。例えば、磁性コア８、コア延設部１２をフェライトなどの軟磁性材料などとし、アンテナカバー体６をアモルファスのような高透磁率の薄膜材料を積層した板状構造として、これらを組み合わせて構成することも可能である。【０１２９】
さらに、上記実施例では、アンテナカバー体６の延設部２０を、アンテナカバー本体部１４の端部から両方向に延設してあるが、図示しないが、もちろんいずれか一方のみの延設部２０とすることも可能である。【０１３０】
このようなアンテナ本体２の磁束の捕捉効果においては、好ましくは、アンテナカバー体６と磁性コア８とが略同じ透磁率で構成されており、同じく磁性コア８とコア延設部１２とが一体で略同じ透磁率で構成されていること、さらに、磁性コア８とコア延設部１２とアンテナカバー体６とが磁気的に結合していることが望ましい。【０１３１】
これにより、アンテナ本体２とアンテナカバー体６とが一体の電波修正時計用アンテナとして作用し、磁性コア８およびコア延設部１２だけで構成する従来知られているアンテナと比して、より大きなアンテナを得ることが可能となる。
［アンテナの形状の説明２：図４］
さらに、上記実施例では、略矩形板形状のコア延設部１２としたが、コア延設部１２の形状は、図１に示すものに限定するものではなく、適宜変更することが可能である。
図４は、図１のアンテナの別の実施例を示す分解斜視図である。図４おいて、２４は、コア延設末端部を示し、２６は、コア延設末端収容部を示している。【０１３２】
例えば、図４に示す実施例では、コア延設部１２の端部とアンテナ本体収容部４の端部とは、平面ではなく立体的に接するようになっている。【０１３３】
すなわち、略矩形板形状のコア延設部１２の端部に、略三角板形状のコア延設末端部２４を形成するとともに、アンテナカバー体６のアンテナ本体収容部４の端部に、このコア延設末端部２４と相補的な形状を有するコア延設末端収容部２６を形成した構成である。【０１３４】
このようにする構成することによって、アンテナ本体２とアンテナカバー体６とは、より広い面積でアンテナカバー体６と接することができ、アンテナ本体２の端部と、アンテナカバー体６のアンテナ本体収容部４とが、接するか、または、磁気的に強固に結合し易くなり、アンテナ本体２からの磁束が外部に洩れ難くなり、アンテナに近接配置された金属を貫かず、渦電流の発生を防止することができ、渦電流損失による受信感度の低下を防ぐことができる。
［アンテナの形状の説明３：図５，図６，図７］
図５は、本発明のアンテナを電波修正時計に適用した別の実施例の分解斜視図である。図５において、３０は、第１のアンテナカバー分割体、３２は、第２のアンテナカバー分割体である。また、３４は、第１の切欠部、３６は、第２の切欠部である。図６において、３８は、第３のアンテナカバー分割体、４０は、第４のアンテナカバー分割体である。図７において、３１，３３は、突設部である。【０１３５】
この実施例のアンテナ１は、図１に示す構成と基本的には同様な構成であり、同一の構成部材には、同一の参照番号を付して、その詳細な説明を省略する。【０１３６】
この実施例のアンテナ１では、アンテナカバー体６が、上下一対のアンテナカバー分割体、すなわち、上側の第１のアンテナカバー分割体３０と、下側の第２のアンテナカバー分割体３２とから構成されている。【０１３７】
なお、第１のアンテナカバー分割体３０と第２のアンテナカバー分割体３２とは、略同じ透磁率の材料から構成されている。【０１３８】
第１のアンテナカバー分割体３０は、第１の切欠部３４を有し、第２のアンテナカバー分割体３２は、第２の切欠部３６を有している。【０１３９】
アンテナ本体２のコア延設部１２は、すでに説明した実施例とは異なり、平板形状を有している。【０１４０】
すなわち、この実施例では、アンテナ本体２のコア延設部１２は、第１のアンテナカバー分割体３０と第２のアンテナカバー分割体３２との延設部２０の形状と同様な湾曲した平板形状を有している。【０１４１】
なお、この実施例では、磁性コア８とコア延設部１２とは、一体に形成されているが、接するか、または、磁気的に結合しているならば、別体で形成しても良い。【０１４２】
第１のアンテナカバー分割体３０と第２のアンテナカバー分割体３２とを組み合わせることで、第１の切欠部３４と第２の切欠部３６とでアンテナ本体収容部４を構成する。【０１４３】
２つの切欠部で構成したアンテナ本体収容部４に、アンテナ本体２の巻線部１０と磁性コア８とが収納される。【０１４４】
アンテナ本体２は、第１のアンテナカバー分割体３０と第２のアンテナカバー分割体３２とで挟持される。図５では、図面の上下方向からアンテナ本体２を挟み込むようにして、アンテナ本体２はアンテナカバー体に収納される。特に、コア延設部１２は平板形状であって、２つのアンテナカバー体に挟まれる。【０１４５】
従って、アンテナ本体２とアンテナカバー体６とは、コア延設部１２の上下２面で接することになり、より広い面積でアンテナカバー体６と接することができる。【０１４６】
磁性コア８、コア延設部１２、第１のアンテナカバー分割体３０、第２のアンテナカバー分割体３２は、特に限定しないが、アモルファスのような高透磁率の薄膜材料を積層した板状構造とすることができる。【０１４７】
しかしながら、例えば、磁性コア８、コア延設部１２をフェライトなどの軟磁性材料などとし、第１のアンテナカバー分割体３０、第２のアンテナカバー分割体３２をアモルファスのような高透磁率の薄膜材料を積層した板状構造として、これらを組み合わせて構成することも可能である。【０１４８】
なお、この実施例では、アンテナカバー体６が、上下一対のアンテナカバー分割体、すなわち、上側の第１のアンテナカバー分割体３０と、下側の第２のアンテナカバー分割体３２とから構成したが、少なくとも上下一対のアンテナカバー分割体から構成されていれば良く、アンテナカバー分割体の数は、特に限定されるものではない。【０１４９】
このように構成することによって、第１のアンテナカバー分割体３０，第２のアンテナカバー分割体３２を組み付けるだけで、アンテナカバー体６を構成できるとともに、第１の切欠部３４，第１の切欠部３６によって、アンテナ本体収容部４を同時に構成することができる。【０１５０】
従って、例えば、時計外装の内壁の形状、すなわち、円周に沿った形状の磁性コア８などを収容するアンテナ本体収容部４が形成された、複雑な形状のアンテナを簡単に作製することができる。【０１５１】
しかも、このような第１のアンテナカバー分割体３０，第２のアンテナカバー分割体３２を、例えば、アモルファスのような高透磁率の薄膜材料を積層した板状構造とすることができ、アンテナ本体２からの磁束が外部に洩れ難くなり、アンテナに近接配置された金属を貫かず、渦電流の発生を防止することができ、渦電流損失による受信感度の低下を防ぐことができる。【０１５２】
また、第１のアンテナカバー分割体３０，第２のアンテナカバー分割体３２を組み付けることによって、コア延設部１２を挟持するので、これらのアンテナカバー分割体を組み付けるだけで、アンテナカバー体６を構成できるとともに、アンテナ本体収容部４を形成する第１の切欠部３４，第２の切欠部３６内にアンテナ本体２を収容することができるので、アンテナの組み立て工程を簡略化することができる。【０１５３】
しかも、例えば、時計外装の内壁の形状、すなわち、円周に沿った形状の磁性コアを作製する際にも、このような挟持部を構成するコア延設部１２を支持して巻線を巻き付けることができ、アンテナ本体２の作製が容易になる。【０１５４】
なお、上記実施例では、上側の第１のアンテナカバー分割体３０，下側の第２のアンテナカバー分割体３２にそれぞれ、第１の切欠部３４，第２の切欠部３６を形成したので、アンテナ本体収容部４の上下面は開放された状態となっているが、例えば、図６の別の実施例に示したように、アンテナカバー分割体をさらに分割して設けても良い。図６に示す例では、最上側に第３のアンテナカバー分割体３８、または最下側に第４のアンテナカバー分割体４０を設け、これらのうち少なくとも一方（この実施例では両方）には、切欠部が形成されていないように構成することができる。【０１５５】
このように構成することによって、切欠部が形成されていない最上側の第３のアンテナカバー分割体３８、または最下側の第４のアンテナカバー分割体４０によって、アンテナ本体２の少なくとも上下面が、アンテナカバー体６で覆われるので、アンテナ本体２からの磁束が外部にさらに洩れ難くなり、アンテナに近接配置された金属を貫かず、渦電流の発生を防止することができ、渦電流損失による受信感度の低下をより効果的に防ぐことができる。【０１５６】
なお、図５の実施例のアンテナ１では、アンテナカバー分割体３０、３２を組み付けた際に、アンテナ本体収容部４の外側の壁部に開口が形成されることになる。渦電流損失をより低減するために、この開口を設けないようにするようにしても良い。例えば、図７に示すように、第１のアンテナカバー分割体３０の第１の切欠部３４に下方に延設した突設部３１と、第２のアンテナカバー分割体３２の第２の切欠部３６に上方に延設した突設部３３とを形成しておき、第１のアンテナカバー分割体３０，第２のアンテナカバー分割体３２を組み付けた際に、これらの突設部３１，３３が当接して、アンテナ本体収容部４の外側の壁部に開口が形成されないようにすれば良い。
［アンテナカバーの形状の説明４：図８〜図１２、図１３〜図１５］
図８は、本発明のアンテナを電波修正時計に適用した別の実施例の分解斜視図、図９は、図８のＡ方向端面図、図１０は、図８のＢ−Ｂ線での断面図、図１１は、図８のアンテナカバー体の展開図、図１２は、図８のアンテナの組み立て状態を説明する概略図である。【０１５７】
この実施例のアンテナ１は、図１に示す構成と基本的には同様な構成であり、同一の構成部材には、同一の参照番号を付して、その詳細な説明を省略する。【０１５８】
この実施例のアンテナ１では、図８に示すように、アンテナカバー体６が平板形状であって、略矩形の平板形状のアンテナ本体巻き付け部４２と、このアンテナ本体巻き付け部４２の端部４４から、磁性コア８から離間する方向に延設された湾曲した略矩形形状の平板形状の延設部４６とから構成されている。【０１５９】
また、図９，図１０に示すように、磁性コア８の外装に近接する面である、内側面８ａと底面８ｂの２箇所を覆う、アンテナ本体巻き付け部４２は、延設部４６と両端の一部４８とで繋がれた状態となっている。【０１６０】
そして、アンテナ本体巻き付け部４２を、アンテナ本体２の端部の周囲に巻き付けることによって、アンテナ本体収容部４が形成され、アンテナ本体２を収容するように構成されている。【０１６１】
すなわち、図１１に示すように、このような平板形状のアンテナカバー体６を板状に成形しておき、アンテナ本体巻き付け部４２を、アンテナ本体２の端部の周囲に巻き付けることによって、アンテナ本体収容部４が形成され、アンテナ本体２を収容することができるように構成されている。【０１６２】
また、アンテナ本体巻き付け部４２の端部４４から延設した２つの延設部４６の間には、切欠部５０が形成されており、延設部４６同士が相互に平面的に重ならないように設けられている。【０１６３】
すなわち、延設部４６同士が相互に平面的に重なっていると、標準電波を受信し、一方の延設部から流入した磁束が、他方の延設部へ流れ出てしまい、磁性コア８へ磁束が流れにくくなってしまい、電波の受信感度が低下してしまうことになる。【０１６４】
これに対して、本発明のアンテナ１では、延設部４６同士が相互に平面的に重ならないように設けられているので、このような延設部４６間での磁束の流れを防止することができ、電波の受信感度の低下を防止することができる。【０１６５】
このように構成される本発明のアンテナ１を組み立てるには、図９，図１１，図１２に示すように、平板状のアンテナカバー体６の下方にアンテナ本体２を位置させて（図１２の一点鎖線参照）、アンテナ本体巻き付け部４２を、図１２の矢印で示すように、延設部４６から折り曲げ線ａで略９０°下方に折り曲げて、アンテナ本体巻き付け部４２の内側面４２ａが、磁性コア８の内側面８ａに対峙する、すなわち、アンテナ本体２のコア延設部１２の内側面１２ａと当接するようにする（図１２の点線参照）。【０１６６】
さらに、アンテナ本体巻き付け部４２を、図１２の矢印で示すように、折り曲げ線ａで略９０°外側に水平に折り曲げて、アンテナ本体巻き付け部４２の底面４２ｂが、磁性コア８の底面８ｂと対峙する、すなわち、アンテナ本体２のコア延設部１２の底面１２ｂと当接するようにする。【０１６７】
これにより、アンテナ本体収容部４が形成され、アンテナ本体２を収容することができる。【０１６８】
また、このように組み立てた状態では、延設部４６の少なくとも一部が、アンテナ本体２の端部と接するか、または、磁気的に結合しているように構成されている。【０１６９】
すなわち、図８〜図１０に示すように、延設部４６で捕捉された磁束は、フェライトなどの軟磁性材料からなる磁性コア８を通じて流れる。一方、アンテナ本体巻き付け部４２の方にも、延設部４６からの磁束が流れるが、アンテナ本体巻き付け部４２と延設部４６は、両端の一部４８だけで繋がっている状態（アンテナ本体２の端部と接するか、または、磁気的に結合している状態）であり、しかも、鋭角な折り曲げ構造であるので、磁束の多くは磁性コアの方を流れることになる。【０１７０】
一方、磁性コア８を流れる磁束と巻線によって発生する起電力によって生じる磁束が、周辺にある、例えば、腕時計などの金属外装などの金属部材を貫くことによって、渦電流損失が生じるが、この渦電流損失は、磁性コア８と近接して配置された外装より透磁率が遙かに高いアンテナ本体巻き付け部４２に、発生した磁束が流れ込むことにより、金属部材を貫く磁束が減り、その結果、渦電流損失が低減されることになる。【０１７１】
このように構成することによって、このような平板形状のアンテナカバー体６を成形して、アンテナ本体２に巻き付けるだけで、簡単にかつ大量にアンテナを作製することができ、製造工程を簡略化することができるとともにコストを低減することができる。【０１７２】
しかも、平板形状のアンテナカバー体６を、例えば、アモルファスのような高透磁率の薄膜材料を積層した板状構造とすることができ、アンテナ本体２からの磁束が外部に洩れ難くなり、アンテナに近接配置された金属を貫かず、渦電流の発生を防止することができ、渦電流損失による受信感度の低下を防ぐことができる。【０１７３】
また、アンテナ本体巻き付け部４２の端部４４から、磁性コア８から離間する方向に延設された平板形状の延設部４６によって、磁束を多く集めることができ、いわゆる集磁束作用に優れることになる。従って、例えば、腕時計に適用した場合に、風防ガラス側、裏蓋側、時計ケース側面の方向からの磁束をより多く収集することができ、受信感度に優れた受信アンテナを構成することができる。【０１７４】
これによって、電波修正時計を小型化することができるとともに、時刻表示機能の精度を向上することができる。【０１７５】
なお、上記実施例では、図９に示すように、アンテナ本体巻き付け部４２が、内側面４２ａ、底面４２ｂのみを有しているが、図１３（Ａ）に示すように、磁性コア８の外側面８ｃを覆う、すなわち、アンテナ本体２のコア延設部１２の外側面１２ｃを覆う外側面４２ｃを有するようにしても良い。【０１７６】
また、図１３（Ｂ）に示すように、底面４２ｂを途中まで延設した構成、図１３（Ｃ）に示すように、外側面４２ｃを途中まで延設した構成とすることも可能である。【０１７７】
さらに、図１４（Ａ）に示すように、上下を逆にすることも可能であり、図１４（Ｂ）に示すように、延設部４６をアンテナ本体巻き付け部４２の端部４４からそれぞれ上下方向に２枚ずつ延設することも可能である。【０１７８】
このように構成することによって、延設部４６が、アンテナ本体巻き付け部４２の両端からそれぞれ少なくとも２つずつ延設されているので、これらのアンテナ本体収容部４から延設した延設部４６によって、磁束をより多く集めることができ、いわゆる集磁束作用にさらに優れることになる。【０１７９】
従って、例えば、腕時計に適用した場合に、風防ガラス側、裏蓋側、時計ケース側面の方向からの磁束をより多く収集することができ、受信感度に優れた受信アンテナを構成することができる。【０１８０】
これによって、電波修正時計を小型化することができるとともに、時刻表示機能の精度を向上することができる。【０１８１】
なお、この場合、図示しないが、一方側を１枚、他方側を２枚にするなど、延設部４６の数、配置位置は、特に限定されるものではない。また、図示しないが、延設部４６を一方側において２枚設ける場合に、上下に設ける代わりに、水平に位置をずらして設けることも可能である。【０１８２】
また、上記実施例では、図１０に示すように、アンテナ本体巻き付け部４２が、内側面４２ａ、底面４２ｂのみを有しているが、図１５（Ａ）に示すように、アンテナ本体２の端部を覆う端部被覆部５２を備えることも可能である。端部被覆部５２は、アンテナ本体２の片方の端部のみを覆うようにすることも可能である。【０１８３】
このように構成することによって、アンテナ本体２の端部面を覆う端部被覆部５２によって、アンテナ本体２が支持されることになり、アンテナ本体巻き付け部４２によって形成されたアンテナ本体収容部４から抜け落ちたり、移動するのを防止することができる。【０１８４】
なお、この場合、図１５（Ｂ）に示すように、アンテナ本体２のコア延設部１２を断面略台形形状にすることによって、端部被覆部５２を有していても、磁束の多くを磁性コアの方を流れるようにすることが可能である。【０１８５】
従って、図１５（Ｃ）に示すように、端部被覆部５２を有していない場合にも、アンテナ本体２のコア延設部１２を断面略台形形状にすることによって、磁束の多くを磁性コアの方を流れるようにすることが可能である。【０１８６】
また、上記実施例では、平板形状のアンテナカバー体６は、例えば、アモルファスのような高透磁率の薄膜材料を積層した板状構造とすることができ、アンテナ本体からの磁束が外部に洩れ難くなり、アンテナに近接配置された金属を貫かず、渦電流の発生を防止することができ、渦電流損失による受信感度の低下を防ぐことができる。
［アンテナカバーの形状の説明５：図１６〜図２１］
図１６は、本発明のアンテナを電波修正時計に適用した別の実施例の分解斜視図、図１７は、図１６のＡ方向端面図、図１８は、図１６のＢ−Ｂ線での断面図、図１９は、図１６のアンテナカバー体の展開図、図２０は、図１６のアンテナの組み立て状態を説明する概略図である。【０１８７】
この実施例のアンテナ１は、図８〜図１２に示す構成と基本的には同様な構成であり、同一の構成部材には、同一の参照番号を付して、その詳細な説明を省略する。【０１８８】
この実施例のアンテナ１では、アンテナ本体巻き付け部４２が、アンテナ本体２の端部の周囲に巻き付けた状態で、アンテナ本体２の端部の少なくとも一部と離間している。【０１８９】
すなわち、図１６，図１９に示すように、アンテナ本体巻き付け部４２と平板形状の延設部４６との間に、連結部５４を形成している。【０１９０】
これにより、組み立てた状態で、図１７，図１８に示すように、アンテナ本体巻き付け部４２の内側面４２ａと、アンテナ本体２のコア延設部１２の内側面１２ａとが離間、すなわち、アンテナ本体巻き付け部４２の内側面４２ａと、磁性コア８の内側面８ａとが離間している。また、アンテナ本体巻き付け部４２の底面４２ｂと、アンテナ本体２のコア延設部１２の底面１２ｂとが離間、すなわち、アンテナ本体巻き付け部４２の底面４２ｂと、磁性コア８の底面８ｂとが離間している。【０１９１】
なお、この場合、アンテナ本体２自体は、例えば、電波修正時計の場合には、時計用ムーブメントに形成した支持部材で別途支持されるようになっている。時計用ムーブメントとは、電池や時計動作に必要な計時回路などの回路要素を１ユニットにまとめた複合部品をいい、このように支持部材を含む。また、文字盤や液晶表示装置などの時刻表示手段も含むこともある。【０１９２】
また、上記の離間距離としては、特に限定されるものではなく、磁束の多くを磁性コアの方を流れるようにする効果を考慮して適宜決定すれば良い。【０１９３】
このように構成される本発明のアンテナ１を組み立てるには、図１７，図１９，図２０に示すように、平板状のアンテナカバー体６の下方にアンテナ本体２を位置させて（図２０の一点鎖線参照）、図２０の矢印で示すように、アンテナ本体巻き付け部４２を、延設部４６から連結部５４の折り曲げ線ａで略４５°下方に折り曲げる（図２０の二点鎖線参照）。さらに、図２０の矢印で示すように、連結部５４の折り曲げ線ｂで鉛直方向に折り曲げる（図２０の点線参照）。【０１９４】
これにより、アンテナ本体巻き付け部４２の内側面４２ａが、磁性コア８の内側面８ａに対峙する、すなわち、アンテナ本体２のコア延設部１２の内側面１２ａとが一定間隔で離間するようにする。【０１９５】
さらに、アンテナ本体巻き付け部４２を、図２０の矢印で示すように、折り曲げ線ｃで略９０°外側に水平に折り曲げて、アンテナ本体巻き付け部４２の底面４２ｂが、磁性コア８の底面８ｂと対峙する、すなわち、アンテナ本体２のコア延設部１２の底面１２ｂとが一定間隔で離間するようにする。【０１９６】
これにより、アンテナ本体収容部４が形成され、アンテナ本体２を収容することができる。【０１９７】
また、このように組み立てた状態では、延設部４６の両端の一部だけで細長く繋がっている状態（符号５６の部分）で、アンテナ本体２の端部と接するか、または、磁気的に結合しているように構成されている。【０１９８】
このように構成することによって、延設部４６で捕捉された磁束は、フェライトなどの軟磁性材料からなる磁性コア８を通じて流れる。一方、アンテナ本体巻き付け部４２の方にも、延設部４６からの磁束が流れるが、アンテナ本体巻き付け部４２と延設部４６は、両端の一部だけで細長く繋がっている状態（符号５６の部分）（アンテナ本体の端部と接するか、または、磁気的に結合している状態）であり、磁束の多くは磁性コア８の方を流れることになる。【０１９９】
一方、磁性コア８を流れる磁束と巻線によって発生する起電力によって生じる磁束が周辺にある、例えば、腕時計などの金属外装などの金属部材を貫くことによって、渦電流損失が生じるが、この渦電流損失は、磁性コア８と近接して配置された外装より透磁率が遙かに高いアンテナ本体巻き付け部４２が、磁性コア８とは接しておらず離間しているが、金属外装と磁性コア８との間に存在しているので、発生した磁束が、アンテナ本体巻き付け部４２に流れ込むことにより、金属部材を貫く磁束が減り、その結果、渦電流損失が低減されることになる。【０２００】
なお、図２１（Ａ），（Ｂ）に示すように、磁性コア８の軸線８ｄと、アンテナ本体２の端部の軸線２ｄとが一致しないように構成することもできる。【０２０１】
このように構成することによって、アンテナカバー体６と延設部４６との磁気的な結合が、物理的にも離されることになるので、磁束のより多くが磁性コア８の方を流れ、受信感度に優れることになる。【０２０２】
さらに、図２１（Ｃ）に示すように、磁性コア８の軸線８ｄと、アンテナ本体２の端部の軸線２ｄとが一致しないように構成するとともに、アンテナ本体２のコア延設部１２を断面略台形形状にすることによって、磁束の多くを磁性コアの方を流れるようにすることが可能である。
［アンテナカバーの形状の説明６：図２２〜図］
図２２は、本発明のアンテナを電波修正時計に適用した別の実施例の分解斜視図、図２３は、図２２のＡ方向端面図、図２４は、図２２のアンテナカバー体の展開図、図２５は、図２２のアンテナの組み立て状態を説明する概略図である。【０２０３】
この実施例のアンテナ１は、図１６〜図２０に示す構成と基本的には同様な構成であり、同一の構成部材には、同一の参照番号を付して、その詳細な説明を省略する。【０２０４】
この実施例のアンテナ１では、アンテナ本体巻き付け部４２を、アンテナ本体２の周囲に、曲面形状に折り曲げることによって、略円筒形状となって、アンテナ本体２の側部を覆う構成にしたものである。【０２０５】
この様な形状は、平板形状のアンテナカバー体６として、鋭角に折り曲げことが困難な、例えば、脆性の高い焼鈍したアモルファス積層膜を使用する場合に好適である。【０２０６】
このように構成される本発明のアンテナ１を組み立てるには、図２４，図２５に示すように、平板状のアンテナカバー体６の下方にアンテナ本体２を位置させて（図２５の一点鎖線参照）、アンテナ本体巻き付け部４２を、図２５の矢印で示したように、アンテナ本体２の周囲に、曲面形状に折り曲げるようにすれば良い。【０２０７】
以上の実施例では、アンテナ本体巻き付け部４２を平板形状としたが、図２６（Ａ）〜（Ｃ）のアンテナカバー体６の展開図に示したように、アンテナ本体巻き付け部４２に、スリット５８、または開口部６０を形成するようにしても良い。【０２０８】
すなわち、図２６（Ａ）のアンテナカバー体６では、アンテナ本体巻き付け部４２に、アンテナ本体２の軸線方向に垂直な略矩形状のスリット５８を一定間隔で離間して形成している。【０２０９】
また、図２６（Ｂ）のアンテナカバー体６では、アンテナ本体巻き付け部４２に、アンテナ本体２の軸線方向に交差する（垂直な）スリット５８を一定間隔で離間して形成して、アンテナ本体巻き付け部４２を櫛歯形状に構成している。【０２１０】
さらに、図２６（Ｃ）のアンテナカバー体６では、アンテナ本体巻き付け部４２に、略円形状の開口部６０を一定間隔で離間して形成している。【０２１１】
この場合、スリットの数、形状、配置位置は、アンテナ本体巻き付け部４２に磁束が流れにくくするようにすれば良く、特に限定されるものではない。【０２１２】
このようにアンテナ本体巻き付け部４２に、スリット５８または開口部６０が形成されているので、アンテナ本体巻き付け部４２に磁束が流れにくくなり、磁束のより多くが磁性コア８の方を流れ、受信感度に優れることになる。【０２１３】
以上、本発明の好ましい実施の態様を説明してきたが、本発明はこれに限定されることはなく、例えば、上記実施例では、本発明のアンテナを電波式腕時計に適用した実施例を示したが、腕時計型ページャ、携帯電話、携帯テレビ、携帯ラジオなど、電波を利用して各種の情報を受信する電波受信機器に使用することも可能であるなど本発明の目的を逸脱しない範囲で種々の変更が可能である。
【産業上の利用可能性】
【０２１４】
本発明のアンテナは、磁束を集めるアンテナ本体をアンテナカバー体で覆う構成であるから、アンテナの周囲に金属が近接して配置されるような小型で高密度な電子機器に適用することができる。特に、小型の電波修正時計に好適である。
【図１】
2007111217.tif 000003
【図２】
2007111217.tif 000004
【図３】
2007111217.tif 000005
【図４】
2007111217.tif 000006
【図５】
2007111217.tif 000007
【図６】
2007111217.tif 000008
【図７】
2007111217.tif 000009
【図８】
2007111217.tif 000010
【図９】
2007111217.tif 000011
【図１０】
2007111217.tif 000012
【図１１】
2007111217.tif 000013
【図１２】
2007111217.tif 000014
【図１３】
2007111217.tif 000015
【図１４】
2007111217.tif 000016
【図１５】
2007111217.tif 000017
【図１６】
2007111217.tif 000018
【図１７】
2007111217.tif 000019
【図１８】
2007111217.tif 000020
【図１９】
2007111217.tif 000021
【図２０】
2007111217.tif 000022
【図２１】
2007111217.tif 000023
【図２２】
2007111217.tif 000024
【図２３】
2007111217.tif 000025
【図２４】
2007111217.tif 000026
【図２５】
2007111217.tif 000027
【図２６】
2007111217.tif 000028
【国際調査報告】
2007111217.tif 000029
2007111217.tif 000030
2007111217.tif 000031
2007111217.tif 000032
2007111217.tif 000033
2007111217.tif 000034